(57)【要約】【課題】室内機と室外機の通信線にシールド線を使用している空気調和機で、このシールド線のシールドアースに過電流が流れることにより、室内機と室外機間の通信に異常が生じたり、通信回路の破壊が起こるという課題があった。【解決手段】通信回路は、室外通信手段１２と、室外通信保護手段１４と、室外シールド電流検知手段１５とからなる室外機１と、室内通信手段２２と、室内通信保護手段２４と、室外シールド電流検知手段１５からなり、シールド線のアース線電流を室外シールド電流検知手段１５と室内シールド電流検知手段２５が検知して、室内通信保護手段１４と室外通信保護手段２５を動作（リレーをオフ）させることにより通信回路の破壊を防止することができる。【選択図】図１
2011117658.tif 000002
【特許請求の範囲】
【請求項１】
室外通信手段と、室外通信保護手段と、室外シールド電流検知手段とからなる室外機と、室内通信手段と、室内通信保護手段と、室内シールド電流検知手段とからなる室内機で、室外機と室内機間の通信線にシールド線が用いられ、そのシールド線のシールドアースが室内機と室外機の両端で  接地接続されている空気調和機において、前記室外シールド電流検知手段がシールド線のシールドアースに過電流が流れたことを検知した場合には室外通信保護手段を動作させ、前記室内シールド電流検知手段が室内側シールド線のシールドアースに過電流が流れたことを検知した場合には室内通信保護手段を動作させることを特徴とする空気調和機の通信回路。
【請求項２】
室内機に異常表示復帰手段を有し、室外シールド電流検知手段、又は、室内シールド電流検知手段によりシールドアースに過電流を検知した後、過電流異常を表示するとともに、過電流が無くなった後、異常表示復帰手段により異常復帰させることにより、過電流異常の解除を行うことを特徴とする請求項１に記載の空気調和機の通信回路。
【請求項３】
室外シールドアース切替手段と、室内シールドアース切替手段を設けて、室内機と室外機の各過電流検知手段がシールドアースの過電流を検知すると、室内機と室外機のそれぞれのシールドアース切替手段により、アース側の接地を切り離すことを特徴とする請求項１ないし請求項２に記載の空気調和機の通信回路。
【請求項４】
室外シールド線のシールドアース接地点と通信回路の間の電圧を検知して、過電流が流れていて、かつ電圧が大きい場合には、電圧に応じて通信保護抵抗を切り換えることを特徴とする請求項１から請求項３のいずれか１項に記載の空気調和機の通信回路。
【請求項５】
室内機と室外機に異常復帰タイマーを設けて、シールド線のアース側への過電流を検知しなくなった後、一定時間ごとに通信保護手段を復帰させて過電流異常の解除を確認し、過電流の検知が無くなれば通信保護手段を復帰させることを特徴とする請求項１から請求項４のいずれか１項に記載の空気調和機の通信回路。
【発明の詳細な説明】
【技術分野】
【０００１】
本発明は、室内機と室外機間で、同一接続線にて通信を行う空気調和機の通信回路の保護と通信異常の回避に関するものである。
【背景技術】
【０００２】
従来、この種の回路としては、室内機又は室外機のどちらか一方から電源が供給され、電源の投入と同時に室内機と室外機の通信回路が接続され、互いに通信が行われるものであった（例えば、特許文献１参照）。
【０００３】
図６は、特許文献１参照に記載された従来の通信回路を示すものである。図６に示すように、室外機と室内機の両機器間に交流主回路電流を供給しうる２本の電源線３，４と１本の通信線５を配設すると共に、電源線４，５の電圧からその電圧よりも低い通信用の直流電圧を得る直流電源回路７と、両機器側にそれぞれ直列に設けられた送信用および受信用フォトカプラＰＣ１、ＰＣ２、ＰＣ１´、ＰＣ２´とを備え、室内ユニット１の送信用および受信用フォトカプラＰＣ１、ＰＣ２は、通信線５を介して室外ユニットの送信用および受信用フォトカプラＰＣ１´、ＰＣ２´と直列に接続され、かつ直流電源回路７の出力端に接続され、さらに通信線５には、通信用の直流電源電圧を上回る電圧が印加された時に保護するツェナーダイオードＺＤ、ＺＤ´から構成されている。
【先行技術文献】
【特許文献】
【０００４】
【特許文献１】特開２００２−３９６０３号公報
【発明の概要】
【発明が解決しようとする課題】
【０００５】
しかしながら、上記従来の構成において、室外機と室内機間にシールド線が用いられている場合には、ＥＭＣノイズ対策のため、シールド線のシールドアースが室内機の本体に接続される。このシールドアースは、室内機の本体アースに接続されることになる。この本体アースが大地に対してインピータンスが有った場合、室内機と室外機間のアース電位に差が生じて、シールド線のシールドアースに電流が流れることにより、シールド線の線間容量により通信電線側に誘導電圧が生じて過電圧を発生させる。特に、雷などのサージ電流が発生したときや、本体アース線に別機器の漏れ電流が流れた場合などで、この過電圧により通信モジュール７，８には過電圧が直接印加されるので、図６の破線→のラインに従って過電流が流れてフォトホトカプラやツェナーダイオードＺＤ、ＺＤ´が破壊されるという課題を有していた。
【０００６】
本発明は、前記従来の発明を解決するものであり、室外機と室内機の通信線にシールド線が用いられた場合でも、通信回路が破壊しない通信回路を提供することを目的とする。
【課題を解決するための手段】
【０００７】
前記課題を解決するため、本発明の通信回路は、室外電源端子と、室外通信端子と、室外通信手段と、直流電源手段と、室外通信保護手段と、室外シールド電流検知手段と、室外制御手段と、アース端子とからなる室外機と、室内電源端子と、室内通信端子と、室内通信手段と、室内通信保護手段と、室内シールド電流検知手段と、室内制御手段と、室内側アース端子を設けたものである。
【０００８】
これにより、通信線のシールド線に過電流が流れた場合でも、通信回路の破壊を無くす
ようにする。
【発明の効果】
【０００９】
本発明の通信回路は、シールド線の電流を監視することにより、シールド線に過電流が発生した場合、通信回路を遮断することにより、通信回路の損傷を避けることができる。
【図面の簡単な説明】
【００１０】
【図１】本発明の実施の形態１における空気調和機の構成ブロック図
【図２】本発明の実施の形態２における空気調和機の構成ブロック図
【図３】本発明の実施の形態３における空気調和機の構成ブロック図
【図４】本発明の実施の形態４における空気調和機の構成ブロック図
【図５】本発明の実施の形態５における空気調和機の構成ブロック図
【図６】従来の空気調和機の構成ブロック図
【発明を実施するための形態】
【００１１】
第１の発明は、室外電源端子と、室外通信端子と、室外制御手段と、室外通信手段と、直流電源手段と、室外通信保護手段と、室外シールド電流検知手段と、室外シールドアースと、室外本体アースからなる室外機と、室内電源端子と、室内通信端子と、室内通信手段と、室内通信保護手段と、室内シールド電流検知手段と、室内シールドアースと、室内本体アースからなる室内機からなり、電源投入後、室外制御手段は、電源投入一定時間後に、室外通信保護手段を復帰させる。その後、室内制御手段は、室内通信保護手段を復帰させて、室外機と室内機の通信を開始させる。通信開始と同時に、直流電源手段の電源も通信線に供給される。次に、室外シールド電流検知手段と、室内機の室内シールド電流検知手段は、シールド線の各シールドアース側を流れる電流の検知を行う。シールド線のシールドアースに電流が流れていることを検知した場合、その電流値を室内制御手段と室外制御手段に伝える。この電流が通信回路の破壊に達するレベルであると判断したとき、室内制御手段、室外制御手段は、室外通信保護手段と、室外通信保護手段を動作させて、再度過電流が無くなるまでオフする。以上によりシールド線の過電流による通信回路の保護を行うことにより、シールドアースの影響による通信回路の発煙、発火を防止し、誘導による通信線への過電圧による通信回路の破壊や通信異常を避けるものである。
【００１２】
第２の発明は、第１の発明の通信回路において、室内機に異常表示復帰手段を設け、シールド線のシールドアースに過電流が発生した場合、通信保護手段を動作させるとともに、異常表示復帰手段により過電流異常であることを表示する。次に、過電流箇所が取り除かれ異常箇所が取り除かれて異常が解除された場合は、異常表示復帰手段により異常解除信号を室内制御手段に送り、室内シールド電流検知手段からの信号が解除され、異常なしの状態である場合に通信保護手段を復帰させ、異常表示復帰手段の表示を解除することにより、室内外の通信を復活させることにより、通信回路の破壊や通信異常を避けることができる。
【００１３】
第３の発明は、第１の発明と第２の発明に記載の通信回路において、室外シールドアース切替手段と、室内シールドアースの切替手段を設けて、室内機と室外機の各シールド電流検知手段が、シールドアースの過電流を検知すると、それぞれのシールドアースの切替手段によりアース側の接地を切り離すことにより、通信回路の破壊や通信異常を避けるものである。
【００１４】
第４の発明は、第１の発明から第３の発明のいずれかの通信回路において、室外シールド線のアース接地点と通信回路の間の電圧を検知して、過電流が流れていて、電圧差が大きい場合には、電圧に応じて通信回路保護抵抗を切り換えることにより、通信回路の破壊や通信異常を避けるものである。
【００１５】
第５の発明は、第１の発明から第４の発明のいずれかの発明の通信回路において室内機とに室外機に復帰自動タイマーを設けておき、各シールド電流検知手段が過電流を検知しなくなった後、一定時間ごとに通信保護手段を復帰させて過電流の解除を確認する。過電流が無くなったと判断すると、通信保護手段を復帰させることにより、通信回路の破壊を防止するとともに通信の自動解除を行うことができる。
【００１６】
以下、本発明の実施の形態について図面を参照しながら説明する。
【００１７】
（実施の形態１）
図１は、本発明の実施の形態１における空気調和機の通信回路のブロック図である。同図において、図６と同じ構成要素については同じ符号を用い説明を省略する。
【００１８】
図１において、室外制御手段１１と、室外通信手段１２と、室外電源手段１３と、室外通信保護手段（リレー等のスイッチ）１４と、室外シールド電流検知手段１５と、通信電源手段１６と、室外端子台１８と、室外本体アース１７と室外シールドアース４４とからなる室外機１と、室内制御手段２１と、室内通信手段２２と、室内電源手段２３と、室内通信保護手段（リレー等のスイッチ）２４と、室内シールド電流検知手段２５と、室内本体アース２７と、室内シールドアース４５とからなる室内機２からなる。
【００１９】
以上のように構成された空気調和機の室外機１は室外通信手段１２により室内機２に通信を行うとともに、通信電源手段１６により室内機２側に通信用の電力を供給し、室内機２は、この電力を室内通信手段２２により受電し、この電力により室内通信手段２２が動作することにより、室内制御手段２３は、室外機１と通信を開始した後、シールド線の室外シールドアース４４に室外シールド電流検知手段１５により過電流を検知した場合に、室外検知手段１１は室外通信保護手段１４を動作（リレーをオフ）させる。また、同様に室内シールド電流検知手段２５により室内シールドアース４５の過電流を検知した場合、室内制御手段２１は、室内通信保護手段２４動作（リレーをオフ）させることにより、室外通信手段１２と、室内通信手段２２の通信回路の破壊や通信異常を避けることができる。
【００２０】
（実施の形態２）
図２は、本発明の実施の形態２における空気調和機の通信回路のブロック図である。同図において、図１と同じ構成要素については同じ符号を用い説明を省略する。
図２において、請求項２に記載の空気調和機の室内機２は、異常表示復帰手段２６からなる。
【００２１】
以上のように構成された室内機２の室内制御手段２１は、シールド線の室内シールドアース４５の過電流を検知した後に、異常表示復帰手段２６によりシールド線の異常の表示を行う。次に、シールド線のシールドアースの過電流が解除したことを検知した室内制御手段２１は、異常表示復帰手段２６により復帰信号が入力されたとき、室内通信保護手段２４を復帰（リレーをオン）させことにより室外機１との通信を再開する。
【００２２】
（実施の形態３）
図３は、本発明の実施の形態３における空気調和機の通信回路のブロック図である。同図において、図２と同じ構成要素については同じ符号を用い説明を省略する。
図３において、請求項３に記載の空気調和機は、室外シールド切替手段１９、室内シールド切替手段２９からなる。
【００２３】
以上のように構成された室外機１と室内機２は、室外シールド電流検知手段１５と室内
シールド電流検知手段２５からの異常検知状態により、所定以上の電流が流れた場合に
室外制御手段１１と室内制御手段２１により、室外シールド切替手段１９、室内シールド切替手段２９により、シールド線のシールドアースを本体アース接地側から切り離しを行うことにより、通信回路の破壊や通信異常を避けることができる。
【００２４】
（実施の形態４）
図４は、本発明の実施の形態４における空気調和機の通信回路のブロック図である。同図において、実施の形態３で説明した部分については同じ符号を用い説明を省略する。
【００２５】
図４において、請求項１から請求項３に記載の通信回路は、室外機１と室内機２において、室外電圧検知手段４０、室外保護抵抗ａ３１と、室外保護抵抗ｂ３２と、室内電圧検知手段４１、室内保護抵抗ａ３３と、室内保護抵抗ｂ３４からなる。
【００２６】
以上のように構成された空気調和機の室外機１、室内機２の通信回路は、室外シールド電流検知手段１５により過電流が流れたと判断したときに、室外制御手段１１は、室外電圧検知手段４０により、通信線の電位とシールドアースの電位をＡＤ変換することにより電圧を検知し、その差分電圧または絶対値電圧により、室外保護抵抗ａ３１と室外保護抵抗ｂ３２を切り替える。検知電圧がさらに大きくなると室外通信保護手段１４を動作（リレーをオフ）させる。
【００２７】
同様に、室内機２は、室内シールド電流検知手段２５により過電流が流れたと判断したときに、室内制御手段２１は、室内電圧検知手段４１により、通信線の電位とシールドアースの電位をＡＤ変換することにより電圧を検知し、その差分電圧または絶対値電圧により、室内保護抵抗ａ３３と室内保護抵抗ｂ３４を検知電圧により切り替える。検知電圧がさらに大きくなると室内通信保護手段２４を動作（リレーをオフ）させることにより、通信回路の破壊や通信異常を避けることができる。
【００２８】
（実施の形態５）
図５は、本発明の実施の形態５における空気調和機の通信回路のブロック図である。同図において、実施の形態４で説明した部分については同じ符号を用い説明を省略する。図５において、請求項１から請求項４に記載の通信回路は、室外タイマー手段４２と室内タイマー手段４３からなる。
【００２９】
以上のように構成された空気調和機の室外機１と室内機２の通信回路は、室外シールド電流検知手段１５、室内シールド電流検知手段２５によりシールド線のシールド側アースの過電流を検知したとき室外通信保護手段１４、室内通信保護手段２４を動作（リレーをオフ）させる。
【００３０】
室外機１と室内機２の室外タイマー手段４２と室内タイマー手段４３により、室外シールド過電流検知手段１５と、室内シールド電流検知手段２５が過電流を検知しなくなった後一定時間ごとに室外通信保護手段１４と室外通信保護手段２４を復帰（リレーをオン）させて過電流異常の解除を確認する。電流の検知が無くなれば、通信保護手段を復帰（リレーをオン）させることにより、通信回路の破壊や通信異常を避けることができる。
【産業上の利用可能性】
【００３１】
以上のように、本発明にかかる通信回路は、２つに分離した機器間の通信回路のシールドアースに流れる過電流によって通信回路が破壊や通信異常を避けることができるので、タンク側とヒートポンプ側に分離した給湯機等の用途にも適用することができる。
【符号の説明】
【００３２】
１  室外機
１１  室外制御手段
１２  室外通信手段
１３  室外電源手段
１４  室外通信保護手段
１５  室外シールド電流検知手段
１６  通信電源手段
１７  室外本体アース
１８  室外端子台
１９  室外シールド切替手段
２  室内機
２１  室内制御手段
２２  室内通信手段
２３  室内電源手段
２４  室内通信保護手段
２５  室内シールド電流検知手段
２６  異常表示復帰手段
２７  室内本体アース
２８  室内端子台
２９  室内シールド切替手段
３  シールド線
３１  室外保護抵抗ａ
３２  室外保護抵抗ｂ
３３  室内保護抵抗ａ
３４  室内保護抵抗ｂ
４０  室外電圧検知手段
４１  室内電圧検知手段
４２  室外タイマー手段
４３  室内タイマー手段
４４  室外シールドアース
４５  室内シールドアース
【図１】
2011117658.tif 000003
【図２】
2011117658.tif 000004
【図３】
2011117658.tif 000005
【図４】
2011117658.tif 000006
【図５】
2011117658.tif 000007
【図６】
2011117658.tif 000008